(57)【要約】【課題】シース先端部に対して挿入部の先端部を正確かつ容易に配置することが可能な分離型内視鏡を提供する。【解決手段】分離型内視鏡は、シース本体２２内に挿通され、シース先端部２３に先端部が接続されている管部２８，２９、及び、シース先端部２３に設けられている係合受部５１、を有する内視鏡シース２１と、シース本体２２内に挿通可能な挿入部３４を有する内視鏡本体３３と、挿入部３４の先端部に設けられる位置決め部材４８であって、係合受部５１に係合されてシース先端部２３に対して挿入部３４の先端部を位置決めする係合部４８、及び、管部２８，２９に対して位置決め部材４８を係合受部５１に係合部４８が係合可能な配置に保持しつつ管部２８，２９の外周面において管部２８，２９の長手方向に摺動可能なガイド部４９、を有する位置決め部材４８と、を有する。【選択図】図２
2009089725.tif 000002
【特許請求の範囲】
【請求項１】
筒状のシース本体、前記シース本体の先端部に設けられているシース先端部、前記シース本体内に挿通されている管部であって、前記シース先端部に前記管部の先端部が接続されている管部、及び、前記シース先端部に設けられている係合受部、を有する内視鏡シースと、
前記シース本体内に挿通可能な挿入部であって、前記挿入部の先端部には撮像部が設けられている挿入部、を有する内視鏡本体と、
前記挿入部の先端部に設けられる位置決め部材であって、前記係合受部に係合されて前記シース先端部に対して前記挿入部の先端部を位置決めする係合部、及び、前記管部に対して前記位置決め部材を前記係合受部に前記係合部が係合可能な配置に保持しつつ前記管部の外周面において前記管部の長手方向に摺動可能なガイド部、を有する位置決め部材と、
を具備することを特徴とする分離型内視鏡。
【請求項２】
前記係合部は、前記位置決め部材の全体によって形成されており、
前記係合受部は、前記シース先端部の基端側に形成され前記位置決め部材の全体が係合される係合凹部を有する、
ことを特徴とする請求項１に記載の分離型内視鏡。
【請求項３】
前記係合部は、前記位置決め部材の基端側から先端側へと縮径するテーパ形状を備えるテーパ部を有し、
前記係合受部は、前記シース先端部の基端側から先端側へと縮径するテーパ形状を備えるテーパ受部を有し、
前記テーパ部は、前記テーパ受部において摺動可能である、
ことを特徴とする請求項１に記載の分離型内視鏡。
【請求項４】
前記位置決め部材は、第１の嵌合部を有し、
前記シース先端部は、前記第１の嵌合部に嵌合されて前記シース先端部に対して前記位置決め部材を固定する第２の嵌合部を有する、
ことを特徴とする請求項１に記載の分離型内視鏡。
【請求項５】
前記第１及び第２の嵌合部の内の一方の嵌合部は爪部を有し、
前記第１及び第２の嵌合部の内の他方の嵌合部は孔部を有する、
ことを特徴とする請求項４に記載の分離型内視鏡。
【請求項６】
前記第１及び第２の嵌合部の内の一方の嵌合部は弾性突起部を有し、
前記第１及び第２の嵌合部の内の他方の嵌合部は嵌合凹部を有する、
ことを特徴とする請求項４に記載の分離型内視鏡。
【請求項７】
前記ガイド部は、前記管部の外周面の少なくとも一部分に対応する形状を有するガイド面部を有し、
前記第１の嵌合部は、前記ガイド面部によって形成されており、
前記第２の嵌合部は、前記管部の先端部に設けられ前記管部の他の部分よりも径の大きな拡径部を有する、
ことを特徴とする請求項４に記載の分離型内視鏡。
【請求項８】
請求項１から７のいずれか１項に記載の分離型内視鏡の内視鏡シース。
【請求項９】
請求項１から７のいずれか１項に記載の分離型内視鏡の内視鏡本体。
【請求項１０】
請求項１から７のいずれか１項に記載の分離型内視鏡の位置決め部材。
【発明の詳細な説明】
【技術分野】
【０００１】
本発明は、内視鏡シースと内視鏡本体とが組み合わされる分離型内視鏡に関する。
【背景技術】
【０００２】
分離型内視鏡を使用する際には、内視鏡シース内に内視鏡本体の挿入部が基端側から挿入されており、内視鏡シースが内視鏡本体に着脱自在に装着されている。内視鏡シースの先端部のシース先端部には観察窓等が配設されており、観察窓等の後方には挿入部の先端部の対応する撮像部等が配置される。挿入部は、内視鏡シース内に収容された状態で、内視鏡シースと共に体腔内へと挿入され、分離型内視鏡による観察等が行われる。通常の内視鏡では、感染症等を防止するために、使用毎に、内視鏡全体の洗浄、消毒を行う必要がある。これに対して、分離型内視鏡では、内視鏡シースを安価な構成として、これを使用後に使い捨てとすることで、挿入部の洗浄、消毒を省略することを可能としている。
【０００３】
特許文献１には、カバー式内視鏡が開示されている。このカバー式内視鏡では、シース先端部としての先端カバーに対物レンズカバーが配設されており、対物レンズカバーの後方に挿入部の対物レンズが配置される。このために、先端カバーでは、対物レンズの後方に、前方嵌合部、及び、前方嵌合部よりも太径の後方嵌合部が軸方向に順に穿設されており、後方嵌合部を介して、前方嵌合部に挿入部の先端部が挿入され、嵌合される。さらに、前方嵌合部には凹部、挿入部の先端部の外周面には突起が形成されており、凹部に突起が嵌合されることで、先端カバーに対して挿入部の先端部が位置決めされ、固定される。加えて、前方嵌合部と後方嵌合部との間には傾斜状のガイド段差が形成されており、前方嵌合部に挿入部の先端部を挿入する際には、ガイド段差において挿入部の突起がガイドされることで、挿入部が自身の中心軸を中心として回転され、周方向について凹部に突起が整列される。
【特許文献１】特開平７−３０３５９８号公報
【発明の開示】
【発明が解決しようとする課題】
【０００４】
分離型内視鏡では、長尺で細径の内視鏡シース内に長尺の挿入部を基端側から挿入して挿通することになるため、シース先端部に対して挿入部の先端部を正確かつ容易に配置することは困難である。
【０００５】
特許文献１のカバー式内視鏡では、先端カバーのガイド段差において挿入部の突起をガイドすることにより、先端カバーの凹部に突起を整列させているため、凹部と突起とを確実に整列させることが難しく、また、挿入抵抗が増大し、挿入部に捩れが生じることにもなるため、挿入作業が面倒なものとなる。このため、特許文献１のカバー式内視鏡であっても、シース先端部に対して挿入部の先端部を正確かつ容易に配置することは困難である。
【０００６】
本発明は、上記課題に着目してなされたもので、その目的とするところは、シース先端部に対して挿入部の先端部を正確かつ容易に配置することが可能な分離型内視鏡を提供することである。
【課題を解決するための手段】
【０００７】
本発明の第１実施態様では、分離型内視鏡は、筒状のシース本体、前記シース本体の先端部に設けられているシース先端部、前記シース本体内に挿通されている管部であって、前記シース先端部に前記管部の先端部が接続されている管部、及び、前記シース先端部に設けられている係合受部、を有する内視鏡シースと、前記シース本体内に挿通可能な挿入部であって、前記挿入部の先端部には撮像部が設けられている挿入部、を有する内視鏡本体と、前記挿入部の先端部に設けられる位置決め部材であって、前記係合受部に係合されて前記シース先端部に対して前記挿入部の先端部を位置決めする係合部、及び、前記管部に対して前記位置決め部材を前記係合受部に前記係合部が係合可能な配置に保持しつつ前記管部の外周面において前記管部の長手方向に摺動可能なガイド部、を有する位置決め部材と、を具備することを特徴とする。
【０００８】
本発明の第２実施態様では、分離型内視鏡は、前記係合部は、前記位置決め部材の全体によって形成されており、前記係合受部は、前記シース先端部の基端側に形成され前記位置決め部材の全体が係合される係合凹部を有する、ことを特徴とする。
【０００９】
本発明の第３実施態様では、分離型内視鏡は、前記係合部は、前記位置決め部材の基端側から先端側へと縮径するテーパ形状を備えるテーパ部を有し、前記係合受部は、前記シース先端部の基端側から先端側へと縮径するテーパ形状を備えるテーパ受部を有し、前記テーパ部は、前記テーパ受部において摺動可能である、ことを特徴とする。
【００１０】
本発明の第４実施態様では、分離型内視鏡は、前記位置決め部材は、第１の嵌合部を有し、前記シース先端部は、前記第１の嵌合部に嵌合されて前記シース先端部に対して前記位置決め部材を固定する第２の嵌合部を有する、ことを特徴とする。
【００１１】
本発明の第５実施態様では、分離型内視鏡は、前記第１及び第２の嵌合部の内の一方の嵌合部は爪部を有し、前記第１及び第２の嵌合部の内の他方の嵌合部は孔部を有する、ことを特徴とする。
【００１２】
本発明の第６実施態様では、分離型内視鏡は、前記第１及び第２の嵌合部の内の一方の嵌合部は弾性突起部を有し、前記第１及び第２の嵌合部の内の他方の嵌合部は嵌合凹部を有する、ことを特徴とする。
【００１３】
本発明の第７実施態様では、分離型内視鏡は、前記ガイド部は、前記管部の外周面の少なくとも一部分に対応する形状を有するガイド面部を有し、前記第１の嵌合部は、前記ガイド面部によって形成されており、前記第２の嵌合部は、前記管部の先端部に設けられ前記管部の他の部分よりも径の大きな拡径部を有する、ことを特徴とする。
【発明の効果】
【００１４】
本発明の第１実施態様の分離型内視鏡では、シース本体内に挿入部の先端部を挿入する際には、係合受部に係合部が係合可能な配置を保持しつつ位置決め部材が管部に沿って基端側から先端側へと移動されていき、係合受部に係合部が係合されることで、シース先端部に対して挿入部の先端部が位置決めされる。このようにして、シース先端部に対して挿入部の先端部を正確かつ容易に配置することが可能となっている。
【００１５】
本発明の第２実施態様の分離型内視鏡では、位置決め部材の全体を係合凹部に係合することになるため、挿入部の先端部を確実に位置決めすることが可能となっている。
【００１６】
本発明の第３実施態様の分離型内視鏡では、テーパ受部においてテーパ部が摺動されて、係合受部へと係合部が誘導される。このため、係合受部に対して係合部が係合可能な位置から若干ずれて配置されているような場合であっても、係合受部に係合部を円滑に係合することが可能となっている。
【００１７】
本発明の第４実施態様の分離型内視鏡では、シース先端部に対して位置決め部材を固定することで、シース先端部に対して挿入部の先端部を固定することが可能となっている。
【００１８】
本発明の第５実施態様の分離型内視鏡では、爪部を孔部に嵌合させることで、シース先端部に対して位置決め部材を固定している。
【００１９】
本発明の第６実施態様の分離型内視鏡では、弾性突起部を弾性変形させて嵌合凹部に嵌合させることで、シース先端部に対して位置決め部材を固定している。
【００２０】
本発明の第７実施態様の分離型内視鏡では、管部の先端部の拡径部にガイド面部を外嵌させることで、シース先端部に対して位置決め部材を固定している。このように、位置決め部材の誘導に用いられるガイド面部を位置決め部材の固定に兼用することで、位置決め部材の構成を簡単化することが可能となっている。
【発明を実施するための最良の形態】
【００２１】
以下、本発明の各実施形態を図面を参照して説明する。
【００２２】
図１から図３は、本発明の第１実施形態を示す。
【００２３】
図１を参照し、分離型内視鏡の内視鏡シース２１は、肉厚円板状のシース先端部２３を有する。シース先端部２３には、透明な観察窓２４が配設されている。また、シース先端部２３の先端側には観察窓２４に向かう送気ノズル２５、送水ノズル２６が配設されており、シース先端部２３にはチャンネル開口２７が形成されている。シース先端部２３の外周部には全周にわたって段差が形成されており、シース先端部２３の基端側２３ａは先端側よりも細径となっている。シース先端部２３の基端側２３ａには、長尺で柔軟な円筒状のシース本体２２の先端部が被覆されている。また、シース先端部２３の基端側２３ａには、管部としての円管状の送気チューブ２８及び送水チューブ２９、チャンネルチューブ３０の先端部が連結されており、送気チューブ２８、送水チューブ２９、チャンネルチューブ３０は、夫々、送気ノズル２５、送水ノズル２６、チャンネル開口２７に接続されている。送気チューブ２８、送水チューブ２９、チャンネルチューブ３０は、シース本体２２内に挿通されて、シース本体２２の基端開口から延出されている。なお、シース本体２２の基端部２２ａにおいて、チャンネルチューブ３０から分岐管３１が分岐して延びており、分岐管３１はシース本体２２の基端部２２ａに突設されている処置具挿入口金３２の内端部に接続されている。チャンネルチューブ３０は、吸引用と処置具の挿通用とに兼用される。
【００２４】
分離型内視鏡の内視鏡本体３３は、内視鏡シース２１のシース本体２２内に挿通される細長い挿入部３４を有する。挿入部３４では、先端側から順に、硬性の先端硬性部３５、湾曲作動される湾曲部３６、長尺で可撓性の可撓管部３７が連設されている。ここで、先端硬性部３５には、撮像部３８が内蔵されている。撮像部３８は、照明光を生成する照明ユニットと、観察画像を撮像する撮像ユニットと、から形成されている。挿入部３４の基端部は、シース本体２２の基端部２２ａが着脱自在に接続されるシース接続部３９に連結されている。シース接続部３９には、内視鏡シース２１の送気チューブ２８、送水チューブ２９、チャンネルチューブ３０の基端部が夫々接続される送気口金４１、送水口金４２、吸引口金４３が配設されている。シース接続部３９の基端部には、操作部４４が連結されている。操作部４４には、湾曲部３６を操作するための湾曲操作ノブ４５、送気作動、送水作動、吸引作動、撮像作動を操作するための各種ボタン４６が配設されている。操作部４４からユニバーサルコード４７が延出されており、ユニバーサルコード４７は、送気、送水、吸引、撮像のための各種周辺装置に接続される。
【００２５】
図２及び図３を参照し、シース先端部２３に対して挿入部３４の先端部を正確かつ容易に配置するための構成について説明する。
【００２６】
内視鏡本体３３の挿入部３４の先端部には、挿入部３４の長手方向に直交する向きの厚板状の位置決め部材４８が連結されている。即ち、位置決め部材４８の取付部５０には取付孔５０ａが貫通形成されており、挿入部３４は取付孔５０ａに挿通されて位置決め部材４８に固定されている。位置決め部材４８は、取付部５０の外周部から挿入部３４の径方向に二又状に延出されている延出部４９を有する。一方、内視鏡シース２１のシース先端部２３の基端側には、位置決め部材４８の全体形状と略同形状の係合受部としての係合凹部５１が形成されている。係合凹部５１に係合部としての位置決め部材４８の全体が係合されることで、シース先端部２３に対して挿入部３４の先端部が位置決めされ、シース先端部２３の観察窓２４の後方に挿入部３４の撮像部３８が適切に配置される。
【００２７】
さらに、位置決め部材４８では、延出部４９の延出端部側に、ガイド部としての第１及び第２のガイド孔５２ａ，５２ｂが挿入部３４の長手方向に貫通されている。挿入部３４の長手方向に直交する断面において、第１及び第２のガイド孔５２ａ，５２ｂを規定する面は、夫々、送気チューブ２８及び送水チューブ２９の外周面と略同径の円形状を有し、第１及び第２のガイド孔５２ａ，５２ｂには、夫々、送気チューブ２８及び送水チューブ２９が挿通可能である。また、挿入部３４の長手方向に直交する断面において、第１のガイド孔５２ａと第２のガイド孔５２ｂとの相対的配置は、シース先端部２３における送気チューブ２８と送水チューブ２９との相対的配置に対応しており、第１及び第２のガイド孔５２ａ，５２ｂと位置決め部材４８の全体形状との相対的配置は、シース先端部２３における送気チューブ２８及び送水チューブ２９と係合凹部５１の全体形状との相対的配置に対応している。ここで、送気チューブ２８、送水チューブ２９、チャンネルチューブ３０については、これらの基端部を引っ張ることで、シース本体２２内において、シース本体２２の全長にわたって、シース先端部２３における相対的配置と略同一の相対的配置とすることが可能である。かかる相対的配置を有する送気チューブ２８及び送水チューブ２９を位置決め部材４８のガイド部としての第１及び第２のガイド孔５２ａ，５２ｂに夫々挿通することで、送気チューブ２８及び送水チューブ２９に対して位置決め部材４８を、位置決め部材４８の全体がシース先端部２３の係合凹部５１に係合可能な配置に、保持することが可能である。そして、位置決め部材４８は、かかる配置を保持しつつ、送気チューブ２８及び送水チューブ２９の外周面において、送気チューブ２８及び送水チューブ２９の長手方向に摺動可能である。
【００２８】
次に、本実施形態の分離型内視鏡の組み合わせ方法について説明する。
【００２９】
内視鏡シース２１の基端部から延出されている送気チューブ２８及び送水チューブ２９の基端部を、夫々、挿入部３４の先端部に連結されている位置決め部材４８の第１及び第２のガイド孔５２ａ，５２ｂに挿通する。そして、送気チューブ２８、送水チューブ２９、チャンネルチューブ３０の基端部を引っ張って、シース本体２２内において、送気チューブ２８、送水チューブ２９、チャンネルチューブ３０を、シース本体２２の全長にわたって、シース先端部２３における相対的配置と略同一の相対的配置とする。続いて、シース本体２２内に挿入部３４を押し込んでいくと、位置決め部材４８が送気チューブ２８及び送水チューブ２９に沿って基端側から先端側へと摺動され、シース本体２２内に挿入部３４の先端部が挿入されていく。この際、位置決め部材４８は、送水チューブ２９及び送気チューブ２８に対して、位置決め部材４８の全体がシース先端部２３の係合凹部５１に係合可能な配置に保持される。従って、さらにシース本体２２内に挿入部３４を押し込んでいくと、そのまま、シース先端部２３の係合凹部５１に位置決め部材４８の全体が挿入され、係合される。この結果、シース先端部２３に対して挿入部３４の先端部が位置決めされ、シース先端部２３の観察窓２４の後方に挿入部３４の撮像部３８が適切に配置される。この後、送気チューブ２８、送水チューブ２９、チャンネルチューブ３０の基端部を内視鏡本体３３の送気口金４１、送水口金４２、吸引口金４３に接続し、シース本体２２の基端部を内視鏡本体３３のシース接続部３９に接続させる。
【００３０】
従って、本実施形態の分離型内視鏡は次の効果を奏する。
【００３１】
本実施形態の分離型内視鏡では、シース本体２２内に挿入部３４の先端部を挿入する際には、係合凹部５１に位置決め部材４８の全体が係合可能な配置を保持しつつ位置決め部材４８が送気チューブ２８及び送水チューブ２９に沿って基端側から先端側へと移動されていき、係合凹部５１に位置決め部材４８の全体が係合されることで、シース先端部２３に対して挿入部３４の先端部が位置決めされる。このようにして、シース先端部２３に対して挿入部３４の先端部を正確かつ容易に配置することが可能となっている。特に、位置決め部材４８の全体を係合凹部５１に係合することになるため、挿入部３４の先端部を確実に位置決めすることが可能となっている。
【００３２】
図４は、本発明の第２実施形態を示す。
【００３３】
本実施形態の位置決め部材４８では、位置決め部材４８の先端側周縁部に、基端側から先端側へと縮径するテーパ形状のテーパ部５３が形成されている。一方、シース先端部２３の係合凹部５１の基端側周縁部に、基端側から先端側へと縮径するテーパ形状のテーパ受部５４が形成されている。係合凹部５１に位置決め部材４８を挿入する際には、テーパ受部５４においてテーパ部５３が摺動されて、係合凹部５１へと位置決め部材４８が誘導される。このため、係合凹部５１に対して位置決め部材４８の配置が若干ずれて挿入される場合であっても、係合凹部５１に位置決め部材４８を円滑に挿入して係合することが可能となっている。
【００３４】
図５は、本発明の第３実施形態を示す。
【００３５】
本実施形態のシース先端部２３の基端面には一対の爪部５５が突設されており、位置決め部材４８の外周面には一対の孔部５６が形成されている。シース先端部２３の係合凹部５１に位置決め部材４８が係合される際には、爪部５５が孔部５６に嵌合されて、シース先端部２３に対して位置決め部材４８が固定される。このようにして、シース先端部２３に対して挿入部３４の先端部を固定することが可能となっている。
【００３６】
図６は、本発明の第３実施形態の変形例を示す。
【００３７】
本変形例では、位置決め部材４８の基端面に一対の爪部５５が突設されており、シース先端部２３の係合凹部５１の内周面に一対の孔部５６が形成されている。このようにしても、シース先端部２３に対して挿入部３４の先端部を固定することが可能である。
【００３８】
図７は、本発明の第４実施形態を示す。
【００３９】
本実施形態のシース先端部２３の係合凹部５１の内周面には弾性を有する一対の弾性突起部５７が配設されており、弾性突起部５７の外面は、所定の曲率Ｒを有する弾性押圧面を形成している。一方、位置決め部材４８の外周面には一対の嵌合凹部５８が形成されており、嵌合凹部５８は、周方向に延び底面の横断面がＶ字状をなすＶ溝を形成している。シース先端部２３の係合凹部５１に位置決め部材４８が係合される際には、弾性突起部５７が圧縮変形されて嵌合凹部５８に嵌合され、シース先端部２３に対して位置決め部材４８が固定される。このようにして、シース先端部２３に対して挿入部３４の先端部を固定することが可能となっている。
【００４０】
図８は、本発明の第４実施形態の変形例を示す。
【００４１】
本変形例では、位置決め部材４８の外周面に、弾性押圧面を形成する一対の弾性突起部５７が配設されており、シース先端部２３の係合凹部５１の内周面に、Ｖ溝を形成する一対の嵌合凹部５８が形成されている。このようにしても、シース先端部２３に対して挿入部３４の先端部を固定することが可能である。
【００４２】
図９及び図１０は、本発明の第５実施形態を示す。
【００４３】
本実施形態の位置決め部材４８では、延出部４９の延出端部側に、ガイド面部を形成するために、ガイド部として、第１及び第２のガイド孔５２ａ，５２ｂに加えて、ガイド凹部５９が挿入部３４の長手方向に延設されている。挿入部３４の長手方向に直交する断面において、第１及び第２のガイド孔５２ａ，５２ｂの半径は、夫々、送気チューブ２８及び送水チューブ２９の半径よりも僅かに大きくなっている。また、ガイド凹部５９を規定する面は、チャンネルチューブ３０の半径よりも僅かに大きな曲率半径を備える１／４円形状を有し、ガイド凹部５９にチャンネルチューブ３０を嵌め込むことが可能である。さらに、第１のガイド孔５２ａ、第２のガイド孔５２ｂ、ガイド凹部５９の相対的配置は、シース先端部２３における送気チューブ２８、送水チューブ２９、チャンネルチューブ３０の相対的配置に対応しており、また、第１及び第２のガイド孔５２ａ，５２ｂ並びにガイド凹部５９と位置決め部材４８の全体形状との相対的配置は、シース先端部２３における送気チューブ２８、送水チューブ２９、チャンネルチューブ３０と係合凹部５１の全体形状との相対的配置に対応している。送気チューブ２８及び送水チューブ２９を第１及び第２のガイド孔５２ａ，５２ｂに夫々挿通するのに加えて、チャンネルチューブ３０をガイド凹部５９に嵌め込むことにより、位置決め部材４８の全体がシース先端部２３の係合凹部５１に係合可能な配置を保持しつつ、位置決め部材４８を送気チューブ２８、送水チューブ２９、及び、チャンネルチューブ３０の外周面において送気チューブ２８、送水チューブ２９、及び、チャンネルチューブ３０の長手方向に摺動可能である。
【００４４】
送気チューブ２８、送水チューブ２９、チャンネルチューブ３０の先端部には、夫々、弾性を有する薄肉短筒状の第１から第３の拡径部材が外嵌固定されており、他の部分よりも外径の大きな第１から第３の拡径部６１ａ，６１ｂ，６１ｃが形成されている。第１から第３の拡径部６１ａ，６１ｂ，６１ｃの半径は、夫々、第１及び第２のガイド孔５２ａ，５２ｂの半径、並びに、ガイド凹部５９の曲率半径よりも極僅かだけ大きい。
【００４５】
次に、本実施形態の分離型内視鏡の組み合わせ方法について説明する。
【００４６】
シース本体２２内に挿入部３４を押し込んでいくと、挿入部３４の先端部に連結されている位置決め部材４８が送気チューブ２８、送水チューブ２９及びチャンネルチューブ３０に沿って基端側から先端側へと摺動され、シース本体２２内に挿入部３４の先端部が挿入されていく。送気チューブ２８、送水チューブ２９、チャンネルチューブ３０と、第１のガイド孔５２ａ、第２のガイド孔５２ｂ、ガイド凹部５９との間には夫々適度なクリアランスが形成されているため、挿入抵抗が小さくなり、挿入部３４の先端部を円滑に挿入できる。シース先端部２３の係合凹部５１に位置決め部材４８が挿入され係合される際には、送気チューブ２８、送水チューブ２９、チャンネルチューブ３０の先端部の第１から第３の拡径部６１ａ，６１ｂ，６１ｃに、夫々、第１及び第２のガイド孔５２ａ，５２ｂ、ガイド凹部５９が嵌合されて固定され、シース先端部２３に対して位置決め部材４８が固定される。嵌合の際には、挿入抵抗が増大することになるため、挿入終端位置を的確に把握することができ、挿入部３４が必要以上に押し込まれることが防止される。このようにして、シース先端部２３に対して挿入部３４の先端部が固定される。
【００４７】
従って、本実施形態の分離型内視鏡は次の効果を奏する。
【００４８】
本実施形態の分離型内視鏡では、位置決め部材４８の誘導に用いられる第１及び第２のガイド孔５２ａ，５２ｂ並びにガイド凹部５９を位置決め部材４８の固定に兼用することで、位置決め部材４８の構成を簡単化することが可能となっている。
【図面の簡単な説明】
【００４９】
【図１】本発明の第１実施形態の分離型内視鏡を示す斜視図。
【図２】本発明の第１実施形態の分離型内視鏡の先端部を示す斜視図。
【図３】本発明の第１実施形態の分離型内視鏡の先端部を示横断面図。
【図４】本発明の第２実施形態の分離型内視鏡の先端部を示す斜視図。
【図５】本発明の第３実施形態の分離型内視鏡の先端部を示す斜視図。
【図６】本発明の第３実施形態の変形例の分離型内視鏡の先端部を示す斜視図。
【図７】本発明の第４実施形態の分離型内視鏡の先端部を示す斜視図。
【図８】本発明の第４実施形態の変形例の分離型内視鏡の先端部を示す斜視図。
【図９】本発明の第５実施形態の分離型内視鏡の先端部を示す斜視図。
【図１０】本発明の第５実施形態の分離型内視鏡の先端部を示す横断面図。
【符号の説明】
【００５０】
２１…内視鏡シース、２２…シース本体、２３…シース先端部、２８，２９，３０…管部（２８…送気チューブ、２９…送水チューブ、３０…チャンネルチューブ）、３３…内視鏡本体、３４…挿入部、３８…撮像部、４８…位置決め部材；係合部、４９…ガイド部、５１…係合受部（係合凹部）、５３…テーパ部、５４…テーパ受部、５５；５７；５２ａ，５２ｂ，５９…第１の嵌合部（５５…爪部、５７…弾性突起部、５２ａ…ガイド面部（第１のガイド孔）、５２ｂ…ガイド面部（第２のガイド孔）、５９…ガイド面部（ガイド凹部））、５６；５８；６１ａ，６１ｂ，６１ｃ…第２の嵌合部（５６…孔部、５８…嵌合凹部、６１ａ…第１の拡径部、６１ｂ…第２の拡径部、６１ｃ…第３の拡径部）。
【図１】
2009089725.tif 000003
【図２】
2009089725.tif 000004
【図３】
2009089725.tif 000005
【図４】
2009089725.tif 000006
【図５】
2009089725.tif 000007
【図６】
2009089725.tif 000008
【図７】
2009089725.tif 000009
【図８】
2009089725.tif 000010
【図９】
2009089725.tif 000011
【図１０】
2009089725.tif 000012